(57)【要約】【課題】カム部材を用いてワンタッチ方式で足場板を設置フレームに固定することができるので、足場板の設置及び分離が容易となり、繰り返して使用できるので、費用低減効果があり、足場板の間隔を一定に配置することができるので、足場設置の標準化を図ることができる足場板固定装置を提供する。【解決手段】本発明に係る足場板固定装置は、設置フレーム上に載置される足場板を固定する装置であって、足場板の上部面を加圧する押し板部を備えた胴部と、一方の端部側に設置フレームを把持する鉤が形成され、他方の端部側に鉤に対して垂直にカム軸が形成された鉤部材と、カム軸を中心として回転可能に設置され、一側面部が胴部の一側面部に接して支持されるカム部材と、を含み、カム部材の回転により鉤が胴部の一側面部及び押し板部側へ加圧移動することを特徴とする。
2012509426.tif 000002
【特許請求の範囲】
【請求項１】
設置フレーム上に載置される足場板を固定する装置であって、
前記足場板の上部面を加圧する押し板部を備えた胴部と、
一方の端部側に前記設置フレームを把持する鉤が形成され、他方の端部側に前記鉤に対して垂直にカム軸が形成された鉤部材と、
前記カム軸を中心として回転可能に設置され、一側面部が前記胴部の一側面部に接して支持されるカム部材と、
を含み、
前記カム部材の回転により、前記鉤が前記胴部の前記一側面部及び前記押し板部側に加圧移動する
ことを特徴とする足場板固定装置。
【請求項２】
前記胴部は、
互いに対面する一対の壁体部と、
前記一対の壁体部の間に介在され、前記鉤部材により貫通される底部と、
を含み、
前記押し板部は、前記壁体部の上部に結合され、
前記カム部材は、一側面部が前記底部に接して支持される
ことを特徴とする請求項１に記載の足場板固定装置。
【請求項３】
前記壁体部は、前記足場板の厚さよりも縦長さが短い
ことを特徴とする請求項２に記載の足場板固定装置。
【請求項４】
前記押し板部は、前記一対の壁体部にそれぞれ結合される
ことを特徴とする請求項２に記載の足場板固定装置。
【請求項５】
前記押し板部が、一方側の前記壁体部のみに結合され、
他方側の壁体部の縦長さが、前記足場板の厚さに対応するように形成される
ことを特徴とする請求項２に記載の足場板固定装置。
【請求項６】
二枚の足場板を積層して固定する場合、
前記壁体部の縦長さが、前記１枚の足場板の厚さよりも長く、前記二枚の足場板の厚さよりも短い
ことを特徴とする請求項２に記載の足場板固定装置。
【請求項７】
前記押し板部が、一方側の前記壁体部のみに結合され、
他方側の壁体部は、縦長さが前記積層された足場板二枚の厚さに対応する長さを有する
ことを特徴とする請求項６に記載の足場板固定装置。
【請求項８】
前記他方側の壁体部の下端が、曲線で形成される
ことを特徴とする請求項５または請求項７に記載の足場板固定装置。
【請求項９】
前記壁体部の厚さが、その下端部から前記底部の下部側に行くほど厚く形成される
ことを特徴とする請求項６に記載の足場板固定装置。
【請求項１０】
前記壁体部の間に介在され、前記底部よりも下側に位置する補強部材をさらに含む
ことを特徴とする請求項６に記載の足場板固定装置。
【請求項１１】
前記一対の壁体部は、
対面する面に前記カム軸の端部が挿入され、前記鉤部材が上下に動くときに前記カム軸の上下方向の動きをガイドするガイド溝が形成された
ことを特徴とする請求項２に記載の足場板固定装置。
【請求項１２】
前記カム部材は、
前記カム軸の両端が挿入される溝が形成され、曲線の外周を含む一対のカムパネルと、
前記一対のカムパネルを連結するレバー部と、
を含む
ことを特徴とする請求項１に記載の足場板固定装置。
【請求項１３】
前記レバー部には、足場スパナが挿入されるレバー孔が形成された
ことを特徴とする請求項１２に記載の足場板固定装置。
【請求項１４】
前記カムパネルの外周の一部は、直線に形成され、前記鉤部材が前記設置フレームを把持したときに前記カムパネルの一部が前記胴部の上部に突出することを防止する
ことを特徴とする請求項１２に記載の足場板固定装置。
【請求項１５】
前記胴部、前記鉤部材及び前記カム部材のうちの少なくとも一つがアルミニウム材質からなる
ことを特徴とする請求項１に記載の足場板固定装置。
【請求項１６】
前記鉤の断面が、四角形である
ことを特徴とする請求項１に記載の足場板固定装置。
【請求項１７】
前記鉤部材は、
前記カム部材が回転する方向に沿って前記足場板固定装置が回転した場合、前記設置フレームに前記鉤の一部が接する形状を有する
ことを特徴とする請求項１に記載の足場板固定装置。
【請求項１８】
前記鉤が、匚形状に形成される
ことを特徴とする請求項１に記載の足場板固定装置。
【請求項１９】
前記鉤の下端部が、開放された部分に向いて上側に傾くように形成される
ことを特徴とする請求項１８に記載の足場板固定装置。
【請求項２０】
前記鉤の下端部の上側面には、凹凸部が形成される
ことを特徴とする請求項１８に記載の足場板固定装置。
【発明の詳細な説明】
【技術分野】
【０００１】
本発明は、足場板固定装置に関する。
【背景技術】
【０００２】
船舶を建造したり、ビルを建設したりする際に、高所での作業は必須であり、船舶の大型化、ビルの高層化に伴い、高所での作業量が増加している。通常、造船や建設などの産業分野では、高所で直接作業する作業者の安全を保障し、かつ便利な作業環境を提供するために、作業者の通路及び足掛かりとして足場が使用されている。
【０００３】
一般的に足場は、垂直と水平に臨時に設けられた設置フレームに足場板を載置し、足場板を針金で巻いて設置フレームに固定する方法で設けられる。このような足場構造は、長期間使用すると、針金が伸びて足場板がずれる現象が発生する。そして、針金が雨水に露出して表面が腐食されると、船舶またはビル表面がさびにより汚染されたり、針金が切断されて足場板が設置フレームに固定されなくなり、作業者が墜落する危険もある。また、足場板を撤去する際に、針金を除去する作業に時間が多くかかり、一度使用した針金は繰り返して使用することができないので、廃棄物が多く発生する。設置フレームに足場板を固定するために針金で足場板を巻く作業も、作業者の手首に筋骨格系疾患をもたらすこともある。
【発明の概要】
【発明が解決しようとする課題】
【０００４】
本発明は、上記のような問題点を解決するために案出されたものであって、本発明の目的は、足場板を設置フレームに容易に設置及び撤去することができ、足場板を安定的に固定することができ、繰り返して使用することができる足場板固定装置を提供することにある。
【課題を解決するための手段】
【０００５】
上記のような目的を達成するために、本発明の一態様によれば、設置フレーム上に載置される足場板を固定する装置であって、足場板の上部面を加圧する押し板部を備えた胴部と、一方の端部側に設置フレームを把持する鉤が形成され、他方の端部側に鉤に対して垂直にカム軸が形成された鉤部材と、カム軸を中心として回転可能に設けられ、一側面部が胴部の一側面部に接して支持されるカム部材とを含み、カム部材の回転により鉤が胴部の一側面部及び押し板部側へ加圧移動する足場板固定装置が提供される。
【０００６】
ここで、胴部は、互いに対面する一対の壁体部と、一対の壁体部の間に介在され、鉤部材により貫通される底部とを含み、押し板部は壁体部の上部に結合され、カム部材は、一側面部が底部に接しながら支持されるようになる。
【０００７】
この場合、壁体部の縦長さを足場板の厚さよりも短くすることができる。
【０００８】
押し板部は、一対の壁体部にそれぞれ結合されることができる。
【０００９】
または、押し板部が一方側の壁体部のみに結合され、他方側の壁体部の縦長さが足場板の厚さに対応するように形成されることができる。
【００１０】
二枚の足場板を積層して固定する場合、壁体部の長さは、一枚の足場板の厚さより長く、二枚の足場板の厚さより短くすることができる。押し板部は、一方側の壁体部のみに結合され、他方側の壁体部の縦長さが、積層された足場板二枚の厚さに対応する長さを有するようにすることができる。
【００１１】
この場合、他方側の壁体部の下端部は、曲線で形成されてもよい。
【００１２】
壁体部の厚さは、その下端部から底部の下部側へ行くほど厚く形成されることができる。または、壁体部の間に介在され、底部よりも下側に位置する補強部材をさらに含むことができる。
【００１３】
一対の壁体部には、対面する面にカム軸の端部が挿入され、鉤部材が上下に動く場合にカム軸の上下方向の動きをガイドするガイド溝が形成されることができる。
【００１４】
カム部材は、カム軸の両端が挿入される溝が形成され、曲線の外周を含む一対のカムパネル及び一対のカムパネルを連結するレバー部を含むことができる。この場合、レバー部には、足場スパナが挿入されるレバー孔を形成することができる。
【００１５】
カムパネルの外周の一部は直線に形成され、鉤部材が設置フレームを把持したときに、カムパネルの一部が胴部の上部に突出しないようにすることができる。
【００１６】
胴部、鉤部材及びカム部材のうちの少なくとも一つはアルミニウム材質からなることができる。
【００１７】
鉤の断面は、四角形であってもよい。
【００１８】
鉤部材は、カム部材が回転する方向に沿って足場板固定装置が回転する場合、設置フレームに鉤の一部が接する形状を有してもよい。
【００１９】
鉤は、匚形状に形成されてもよい。ここで、鉤の下端部は、開放された部分に向いて上側に傾くように形成されてもよく、またはその上側面に凹凸部が形成されてもよい。
【発明の効果】
【００２０】
本発明の実施形態によれば、カム部材を用いてワンタッチ方式で足場板を設置フレームに固定できるので、足場板の設置及び撤去が容易となり、繰り返して使用できるので、費用が低減され、また足場板を均一に配置することができるので、足場設置の標準化が可能となる。
【図面の簡単な説明】
【００２１】
【図１】本発明の第１実施形態に係る足場板固定装置の分解斜視図である。
【図２】本発明の第１実施形態に係る足場板固定装置の解除状態の横方向断面図である。
【図３】本発明の第１実施形態に係る足場板固定装置の解除状態の正面図である。
【図４】本発明の第１実施形態に係る足場板固定装置のロック状態の横方向断面図である。
【図５】本発明の第１実施形態に係る足場板固定装置のロック状態の正面図である。
【図６】本発明の第２実施形態に係る足場板固定装置を示す正面図である。
【図７】本発明の第３実施形態に係る足場板固定装置を示す正面図である。
【図８】本発明の第４実施形態に係る足場板固定装置を示す正面図である。
【図９】本発明の第４実施形態に係る足場板固定装置を示す斜視図である。
【図１０】本発明の第１実施形態に係る足場板固定装置の鉤部材の方向について説明するための横方向断面図である。
【図１１】本発明の第１実施形態に係る足場板固定装置の鉤部材の方向について説明するための横方向断面図である。
【図１２】本発明の第１実施形態に係る足場板固定装置の鉤部材の変形例を説明するための横方向断面図である。
【発明を実施するための形態】
【００２２】
以下、本発明の好ましい実施形態を添付図面に基づいて詳細に説明する。
【００２３】
図１は、本発明の第１実施形態に係る足場板固定装置を示す分解斜視図である。
【００２４】
図１を参照すると、本発明の一実施形態に係る足場板固定装置は、鉤部材１０、カム部材３０及び胴部４０を含む。一方の端部に鉤が形成された鉤部材１０は、他方の端部に形成されたカム軸２０を中心として回転運動するカム部材３０と結合し、足場板３の上部を加圧する押し板部４４を備えた胴部４０にカム部材３０が収容される。本実施形態における胴部４０は、一対の対面する壁体部４２と、壁体部４２の間に介在された底部４１を備える。
【００２５】
鉤部材１０は、一方の端部に鉤が形成されており、この鉤は一側面部が開放されて、開放された方に設置フレームを嵌め込んで設置フレームを把持することになる。図４は、本発明の第１実施形態に係る足場板固定装置におけるロック状態を示す横方向断面図であって、設置フレーム１が鉤により把持された状態を確認することができる。
【００２６】
鉤の端部が、ｄの高さだけ下端から上側へ曲がっているため、設置フレーム１が離脱されないようになる。曲がり過ぎると、足場板固定装置を嵌め込んだり分離したりすることが難しくなるため、設置フレーム１が足場板固定装置から離脱されないだけの長さであれば十分である。鉤の形状は、一側面部が開放され、端部がｄだけ上側に曲がっていて設置フレーム１を把持することができれば、必ずしも曲線である必要はない。
【００２７】
鉤部分の断面は、円形であってもよく、図１に示されているように、四角形状にする場合には、設置フレーム１との接触面積がより広くなるので、さらに安定的に固定させることができる。
【００２８】
鉤部材１０の他方の端部に、鉤に垂直方向に形成されたカム軸２０はカム部材３０の軸としての機能を行い、円柱形状である。カム軸２０は鉤部材の他方の端部に突起のように突出させて形成されてもよく、図示されているように、別途の部材で構成して、鉤部材１０と結合されるようにすることもできる。
【００２９】
カム軸２０を別途の部材で構成する場合には、側面に、鉤部材１０の他方の端部が嵌め込まれる孔が形成される。このとき、鉤部材１０とカム軸２０は動かないように固定され、ねじで側面から貫通して鉤部材１０とカム軸２０とを結合させることができる。
【００３０】
また、ねじとボルト構造を応用して鉤部材１０の他方の端部に螺旋形の溝を形成し、カム軸２０孔の内壁に、鉤部材１０の他方の端部の螺旋形の溝に対応する溝を形成して鉤部材１０を回して嵌め込んで固定する方法も可能である。そして、カム軸２０孔には通孔を形成し、鉤部材１０の他方の端部には通孔に対応する位置及び大きさの溝を形成した後、 鉤部材１０の他方の端部をカム軸２０孔に挿入し、通孔にピンを挿入して固定する方法も可能である。
【００３１】
カム部材３０は、カム軸２０を中心として回転運動してカム（ｃａｍ）の機能を果たす。カムとは、回転運動を直線運動に変更する装置であって、軸から外周までの距離が位置に応じて異なって、軸を中心として回転運動する際には外周との距離の差の分だけ直線運動をすることができる。
【００３２】
図２に示すように、本実施形態におけるカム部材３０は、カム軸２０の中心から底部までの距離はｃだけ離隔しており、足場板固定装置のロック状態を示す横方向断面図である、図４の状態となるようにカム部材３０を回転させると、カム軸２０と底部４１との間の距離はｂとなる。すなわち、カム部材３０を回転させることにより、鉤部材１０は、距離ｂと距離ｃとの差の距離（以下、‘（ｂ−ｃ）’という）だけ上下運動が可能となり、このような上下運動により鉤部材１０が設置フレーム１に固定されたり、分離されたりすることができる。
【００３３】
この場合、カム軸２０は鉤部材１０とともに上下運動し、回転しなく、カム部材３０だけ回転する。すなわち、カム軸２０はカム部材３０に固定されなく、カム部材３０に形成された溝に嵌め込まれる形態に結合する。
【００３４】
本実施形態でのカム部材３０は、カム軸２０の両端に結合する一対のカムパネル３２を含み、二枚のカムパネル３２が結合されて同時に回転可能になる。カムパネル３２の形状は、カム軸２０から外周までの距離が異なる曲線の外周を有する部材であるため、カム部材３０が回転して固定されるときに胴部４０よりも上部に突出すると、足場板３の上面よりも上方へ突出して破損の恐れがあるので、カムパネル３２を胴部４０よりも上部に突出しない形状にすることができる。例えば、図４に示すように、カムパネル３２の曲線状の外周を部分的に直線にしてロック状態、具体的に、鉤部材１０が設置フレーム１を把持したときに、カムパネル３２の外周が胴部４０よりも上部に突出しないようにすることができる。
【００３５】
回転運動のための力を加える部分であるレバー部３４は、カムパネル３２に連結されている。作業をより容易にするために、従来、足場板に針金を巻くために使用した足場スパナを用いてレバー部３４を引くことができ、このために、レバー部３４には足場スパナを挿入するレバー孔３６を形成してもよい。
【００３６】
次に、胴部４０について説明する。鉤部材１０が設置フレーム１と結合されるに対して、胴部４０は足場板３と結合される。胴部４０は足場板３を下側方向に押す押し板部４４を備え、カム部材３０の一側面部と接してカム部材３０を支持する面を備える。本実施形態では、カム部材３０を支持する構造として互いに対面する一対の壁体部４２と、壁体部４２の間に介在される底部４１とを含む胴部４０を提供する。
【００３７】
底部４１は、カム部材３０の下部を支持し、カム部材３０の回転に応じて底部４１とカム軸２０との距離が変化することにより、下側方向に力を受ける。また、底部４１を貫通する形状で鉤部材１０が結合されるので、底部４１には鉤部材１０が通過される孔が形成される。
【００３８】
壁体部４２は、底部４１に加えられる下側方向の力を押し板部４４に伝達し、カム部材３０が横方向に動かないように固定しながら、足場板３の横方向の動きを固定する役割をする。カム軸２０の端部が、図１に示されたように、カムパネル３２の側面から突出した場合、カム軸２０が上下に動くときに安定的に動けるように、カム軸２０の端部が嵌め込まれるガイド溝４５を壁体部４２の内側に形成してもよい。壁体部と底部との結合断面が凹状になっているが、壁体部４２は下側にさらに延びて、Ｈ状を有することもできる。この場合、壁体部４２の縦長さは足場板３の厚さより短くしなければならない。
【００３９】
押し板部４４は、足場板３の上部を加圧するように壁体部４２の横方向に延びる。押し板部４４が壁体部４２の上部から延びた場合は、押し板部４４と壁体部４２との間の角度を９０o未満にすると、押し板部４４が足場板３を押す効果がより高くなる。
【００４０】
上述した足場板固定装置の各部材としては、アルミニウムのように軽量かつ腐食に強い素材を用いると、耐久性が向上する効果を得ることができる。
【００４１】
上述した足場板固定装置の構成に基づいて各部材の動きについて説明する。図２及び図３は、足場板固定装置の解除状態を示す横方向断面図及び正面図であり、図４及び図５は、足場板固定装置のロック状態を示す横方向断面図及び正面図である。
【００４２】
解除状態でのカム部材３０は、示されているように、レバー部３４がカム部材３０の上部に位置するように配置される。しかし、ロック状態でレバー部３４が上側に突出しても破損の恐れがない場合には、解除状態でのレバー部３４の位置が必ずしもカム部材３０の上部に位置する必要はない。
【００４３】
底部４１からカム軸２０の中心までの距離はｃであり、押し板部４４から鉤部材１０の下部までの距離は、設置フレーム１の厚さと足場板３の厚さとの和よりも長い。よって、図２に示すように、鉤部の開いている方から設置フレーム１を入れることができる。
【００４４】
ロック状態では、カム部材３０を回転させて底部４１からカム軸２０の中心までの距離がｂとなるようにする。このような回転運動をする間に胴部４０は動かないが、カム軸２０と鉤部材１０は上側に（ｂ−ｃ）の距離だけ移動し、図４に示すように、鉤部材１０の鉤部分が設置フレーム１を把持する。よって、鉤部材１０の鉤部分の曲がった程度である寸法ｄを距離（ｂ−ｃ）よりも小さくすることにより、把持及び分離が容易になる。
【００４５】
このように、本発明の一実施形態に係る足場板固定装置は、カム部材３０を用いてワンタッチ方式で足場板３を設置フレーム１に固定することができるので、足場板３の設置及び分離が容易であり、繰り返して使用することができるので、費用低減効果があり、足場板３の間隔を一定に配置できるので、足場設置の標準化を図ることができる。
【００４６】
図６は、本発明の第２実施形態に係る足場板固定装置を示す正面図であって、本実施形態における足場板固定装置は、足場板３の一方のみを固定する場合に用いることができる。
【００４７】
足場板３の一方のみを固定するので、押し板部４４は一つのみ必要となり、一方側の壁体部４２のみに押し板部４４が結合され、他方側の壁体部４６の縦長さが足場板３の厚さに対応する長さに長く形成される。若し他方側の壁体部４６の長さが足場板３の厚さよりも短くてその下端部が設置フレーム１と接しない状態になると、両方のバランスがとれなくて押し板部４４が足場板３の上部に固定されないこともある。
【００４８】
このとき、設置フレーム１まで至る他方側の壁体部４６の下端部は、設置フレーム１の断面形状の一部に対応する形状を有することができる。具体的に、設置フレーム１がパイプ形状である場合、断面は円形であるため、他方側の壁体部４６の下端部は円弧形状を有することができる。
【００４９】
図７は、本発明の第３実施形態に係る足場板固定装置を示す正面図であって、２枚の足場板３，３’を重ねて設置する場合における２枚の足場板３，３’を固定するために用いられる足場板固定装置である。鉤部材１０の長さは足場板一枚の厚さだけさらに長くなり、示されているように、下側へさらに長く延びた形状の壁体部４７が用いられる。
【００５０】
壁体部４７の長さが下部の足場板３’まで至らないと、下部の足場板３’は安定的に固定されない問題が発生する。押し板部４４により垂直方向に加えられる力は下部の足場板３’まで至り、下部の足場板３’が横方向に動くことを防止することができない。このような横方向への動きを防止するために壁体部４７の長さを下部足場板３’の側面まで至るように延設する。
【００５１】
２枚だけでなく、より多数の足場板を重ねて設置する場合には、壁体部の長さを最も下端に位置した足場板の側面まで至るように長く延設する。具体的に、Ｎ（ここで、  Ｎは、自然数）個の足場板を積層した場合、壁体部の長さは一枚の足場板の厚さの  （Ｎ−１）倍よりは長く、一枚の足場板の厚さのＮ倍よりは短く延設する。
【００５２】
下部足場板３’のずれることによる横方向の力を支持するために、下側へ長く延設した壁体部４７の間に補強部材４９を設けると、壁体部４７の破損を防止することができる。
【００５３】
補強部材４９は、図７に示すように、底部４１の下部と接して位置してもよく、壁体部４７の間の底部４１と離隔した部分に位置して両壁体部４７の間の距離を一定に維持するように形成されてもよい。また、壁体部４７の厚さを、その下端部から底部４１の下部側に行くほど厚く形成して、壁体部４７が横方向に加えられる力を十分に支持するようにすることもできる。
【００５４】
図８は、本発明の第４実施形態に係る足場板固定装置を示す正面図であって、二枚の足場板３の一方のみを固定する場合に用いられる足場板固定装置である。これは、第２実施形態と第３実施形態が複合されたもので、第３実施形態のように、壁体部４７’、４８は、下部の足場板３’まで延設され、一方側の壁体部４７’のみに押し板部４４が連結され、他側の壁体部４８は、下端部が設置フレーム１まで至るように足場板３の２枚の厚さに対応する長さに延びる。この場合にも、図７を参照して説明したように、補強部材４９をさらに設けるか、壁体部４７の厚さが下端部から底部４１の下部側へ行くほど厚く形成して、横方向に作用する力を支持するようにすることができる。
【００５５】
図９は、本発明の第４実施形態に係る足場板固定装置を示す斜視図であって、補強部材４９及び設置フレーム１まで至る他方側の壁体部４８の下端部の形状を確認することができる。補強部材４９には、カム部材３０の回転により鉤部材１０が上下移動するのに問題ないように、鉤部材１０が通過できる、図示されていない孔が形成されており、壁体部４８の下端部は設置フレーム１の断面形状に対応するように曲線で形成されている。
【００５６】
図９に示されている補強部材及び壁体部の形状は、上述した実施形態にも適用可能である。
【００５７】
図１０及び図１１は、本発明の第１実施形態に係る足場板固定装置の鉤部材の方向について説明するための横方向断面図である。
【００５８】
図１０を参照すると、鉤部材１０が設置フレーム１を把持するようにレバー部３４に力を加えたときの足場板固定装置の全体的な動きの様子が示されている。
【００５９】
足場板固定装置は、主に屋外で使用され、足場板３の上に作業者が頻繁に通行する。 よって、カム軸２０と胴部４０との間に異物が挟まれて、カム軸２０が胴部４０に対して円滑に回転運動できなくなる場合がある。そして、レバー部３４がカム軸２０を中心として回転するときには、カムパネル３２の外周と胴部４０の底部４１との間に摩擦が発生し、足場板固定装置がロック状態になるまでカム部材３０が回転する間には、上述した摩擦力により胴部４０にカム部材３０が回転する方向と同じ方向の回転力が加えられる。
【００６０】
よって、上述したような異物または摩擦力のために、レバー部３４に加えられる力が胴部４０に回転力として伝達される場合には、点線で示したように、足場板固定装置の全体がカム部材３０の回転する方向に回転して、鉤部材１０から設置フレーム１が離脱することがある。この場合、作業者は胴部４０が回転しないように片手で固定させながら、他の手でレバー部３４を押して鉤部材１０が設置フレーム１を把持するようにしなければならない。
【００６１】
図１１を参照すると、鉤部材１１の鉤は、図１０に示された鉤部材１０の鉤と反対方向に形成されている。
【００６２】
足場板固定装置が解除状態である場合、レバー部３４が突出した方向と反対方向に開放された鉤を有する鉤部材１１は、図１０を参照して説明したように、レバー部３４に加えられた力で足場板固定装置の全体が回転する場合、設置フレーム１が鉤部材１１と接することになる。すなわち、鉤部材１１は、足場板固定装置の全体がカム部材３０の回転方向に沿って回転する際に、鉤の一部が設置フレーム１に接する形状を有する。
【００６３】
よって、足場板固定装置の全体的な回転が停止され、レバー部３４に加えられた力によりカム部材３０のみ回転して鉤部材１１が設置フレーム１を把持することになる。
【００６４】
したがって、作業者は、設置フレーム１が鉤部材１１の鉤内に入るように足場板固定装置を適宜に位置させた後、片手でレバー部３４に力を加えればよいので、足場板固定装置の操作が容易となる。
【００６５】
このような鉤部材１１は、本発明の第１実施形態に係る足場板固定装置以外に、上述した他の実施形態にも適用できることは明らかなことである。
【００６６】
図１２には、本発明の第１実施形態に係る足場板固定装置の鉤部材の変形例が示されている。
【００６７】
図１２を参照すると、鉤部材１２の鉤が匚形状に形成されている。
【００６８】
足場板の固定には、示されているように、Ｌ形状の断面を有するアングル（ａｎｇｌｅ）部材を使用でき、示されていないが、Ｈビーム及びＩビームなどを用いることもできる。この場合、アングル部材、Ｈビーム及びＩビームに足場板固定装置が強固に締結されるように、鉤部材１２の鉤を上述したように匚形状に形成する。
【００６９】
鉤部材１２における鉤の開放幅ｈは、設置フレーム１’の規格に合わせて異なるように形成することができる。
【００７０】
示されていないが、鉤部材１２における鉤は、その下端部１２ａの上側面には凹凸部１２ｂが形成されてもよい。
【００７１】
カム部材３０のレバー部３４がカム軸２０を中心として下側に回動され、足場板固定装置が設置フレーム１’に締結された後に、足場板固定装置に鉤部材１２の鉤が開放された方向から外力が加えられると、鉤部材１２の鉤が設置フレーム１’から離脱することがある。
【００７２】
したがって、鉤部材１２の鉤下端部１２ａの上側面に凹凸部１２ｂを形成して設置フレーム１’の一側面部の間に作用する摩擦力を増加させることにより、鉤部材１２の鉤が設置フレーム１’から離脱することを防止することができる。
【００７３】
また、本発明の第１実施形態に係る足場板固定装置の鉤部材１２は、鉤下端部１２ａが、開放された部分に向いて微細に上側に傾く形状を有するように形成されることも可能である。これは、足場板固定装置が設置フレーム１’に締結される過程で鉤下端部１２ａ及び設置フレーム１’の間に多少弾性力が作用するようにして、鉤下端部１２ａ及び設置フレーム１’の間に多少の公差があっても安定的に締結状態を維持するためである。
【００７４】
上述したような匚形状の鉤を有する鉤部材１２は、本発明の第１実施形態に係る足場板固定装置以外に、上述した他の実施形態にも適用できることは明らかなことである。
【００７５】
以上では、本発明の実施形態による足場板固定装置について説明したが、本発明の思想は本明細書に提示した実施形態に限定されず、本発明の思想を理解する当業者が同じ思想の範囲内で、構成要素の付加、変更、削除、追加などにより他の実施形態を容易に提案でき、これも本発明の思想範囲内に入るといえる。
【図１】
2012509426.tif 000003
【図２】
2012509426.tif 000004
【図３】
2012509426.tif 000005
【図４】
2012509426.tif 000006
【図５】
2012509426.tif 000007
【図６】
2012509426.tif 000008
【図７】
2012509426.tif 000009
【図８】
2012509426.tif 000010
【図９】
2012509426.tif 000011
【図１０】
2012509426.tif 000012
【図１１】
2012509426.tif 000013
【図１２】
2012509426.tif 000014
【国際調査報告】
2012509426.tif 000015
2012509426.tif 000016
2012509426.tif 000017
2012509426.tif 000018